(57)【要約】  【課題】任意の位置に鍵穴を配設しながらも、遊技機のデザインの自由度を向上させる。  【解決手段】パネル部材の裏面に突設された揺動軸に基端が軸支されて揺動可能な腕部材の他端に結合され、鍵穴に嵌合する遮蔽位置と鍵穴を開口する開口位置との間で前記パネル部材に沿うように揺動自在に支持される蓋と、開口位置で腕部材と対向するパネル部材の裏面に突設された係止部材と、腕部材に形成され、開口位置で係止部材と係合可能な係合手段と、腕部材の裏面とパネル部材の裏面の所定位置との間に介装され、腕部材の肉厚に応じて傾斜して配設され、腕部材を遮蔽位置へと付勢するとともに、腕部材をパネル部材に向けて付勢する付勢手段とを備え、腕部材は、腕部材を支持する揺動軸の軸方向へ変位可能として、腕部材をパネル部材の裏面と接離する。  【選択図】        図１
2007075653.tif 000002
【特許請求の範囲】
【請求項１】
遊技盤を収装するとともに、遊技機本体に対して開閉自在に支持されたパネル部材と、
前記遊技機本体の所定の位置に固設された錠と、
前記錠と対向するパネル部材に鍵の挿入領域に応じて貫通形成された鍵穴と、
前記パネル部材の裏面に突設された揺動軸に基端が軸支されて揺動可能な腕部材の他端に結合され、前記鍵穴に嵌合する遮蔽位置と前記鍵穴を開口する開口位置との間で前記パネル部材に沿うように揺動自在に支持される蓋と、
前記開口位置で腕部材と対向するパネル部材の裏面に突設された係止部材と、
前記腕部材に形成され、前記開口位置で前記係止部材と係合可能な係合手段と、
前記腕部材の裏面と前記パネル部材の裏面の所定位置との間に介装され、前記腕部材の肉厚に応じて傾斜して配設され、前記腕部材を前記遮蔽位置へと付勢するとともに、前記腕部材を前記パネル部材に向けて付勢する付勢手段とを備え、
前記腕部材は、前記揺動軸の軸方向へ変位可能として、前記腕部材を前記パネル部材の裏面と接離可能にするように構成されることを特徴とする遊技機の鍵穴構造。
【発明の詳細な説明】
【技術分野】
【０００１】
本発明は、遊技機の鍵穴構造に関する。
【背景技術】
【０００２】
従来から遊技盤に表示装置、変動入賞装置を設け、所定の入賞条件及び表示装置等の遊技条件に従って、遊技者に有利な遊技状態を発生するパチンコ遊技機がある。
【０００３】
このような遊技機では、四辺形をした外枠の片側に支軸を設け、この支軸を介して四辺形に形成された内枠を開閉可能に外枠へ取り付け、この内枠に遊技盤等を収装している。
【０００４】
遊技機の保守、調整等を行う際には、支軸を軸にして内枠を開放することで作業を行うことができる。一方、通常の遊技状態では、遊技者等による不正な内枠の開放を防ぐため、内枠に錠を設けて内枠を外枠へ係止し、鍵の保有者のみが内枠を開閉可能となっている。
【発明の開示】
【発明が解決しようとする課題】
【０００５】
しかしながら、このような従来の遊技機では、鍵の操作を容易にするため遊技者に面した前方側の内枠に錠が配設されており、遊技機の美観及びデザインの自由度を損ねるだけではなく、錠が遊技者と直接対向するため、遊技者などによる錠の不正操作が容易であり、防犯上の観点からも好ましくはないという問題があった。
【０００６】
そこで本発明は、上記問題点に鑑みてなされたもので、任意の位置に錠を配設しながら、内枠のデザインの自由度を向上可能とし、さらに遊技者などによる錠の不正操作を防止可能な遊技機を提供することを目的とする。
【課題を解決するための手段】
【０００７】
第１の発明は、遊技盤を収装するとともに、遊技機本体に対して開閉自在に支持されたパネル部材と、前記遊技機本体の所定の位置に固設された錠と、前記錠と対向するパネル部材に鍵の挿入領域に応じて貫通形成された鍵穴と、前記パネル部材の裏面に突設された揺動軸に基端が軸支されて揺動可能な腕部材の他端に結合され、前記鍵穴に嵌合する遮蔽位置と前記鍵穴を開口する開口位置との間で前記パネル部材に沿うように揺動自在に支持される蓋と、前記開口位置で腕部材と対向するパネル部材の裏面に突設された係止部材と、前記腕部材に形成され、前記開口位置で前記係止部材と係合可能な係合手段と、前記腕部材の裏面と前記パネル部材の裏面の所定位置との間に介装され、前記腕部材の肉厚に応じて傾斜して配設され、前記腕部材を前記遮蔽位置へと付勢するとともに、前記腕部材を前記パネル部材に向けて付勢する付勢手段とを備え、前記腕部材は、前記揺動軸の軸方向へ変位可能として、前記腕部材を前記パネル部材の裏面と接離可能にするように構成されることを特徴とする。
【発明の効果】
【０００８】
したがって、第１の発明は、遊技盤の保守等の際には、施錠を解除してからパネル部材を遊技機本体に対して開くことで作業を行うが、錠へ鍵を挿入するには、鍵穴へ嵌合した遮蔽位置にある蓋を、パネル部材の裏面に突設された揺動軸を軸として蓋を揺動させて鍵穴から抜いて、鍵穴を開口して鍵を挿入することができる。一方、通常の遊技状態では蓋を鍵穴へ嵌合させることで、鍵穴を封止してパネル部材の前方側の面をほぼ平滑に形成することができ、遊技機の美観を損なうことはなく、任意の位置へ錠を配設しながら遊技機のデザインの自由度を向上させることができる。
【０００９】
また、第１の発明は、蓋は前記パネル部材の裏面に突設された揺動軸に基端が軸支されて揺動可能な腕部材の他端に結合され、腕部材は付勢手段によって常時遮蔽位置へ向けて付勢され、鍵穴に嵌合した蓋を遮蔽位置に保持することができる一方、蓋を開口位置へ向けて揺動させてアーム部を前記揺動軸の軸方向へ変位させると、腕部材の係合手段がパネル部材裏面に突設された係止部材に係合し、蓋は付勢手段に抗して鍵穴の開口位置を保持することができる。
【発明を実施するための最良の形態】
【００１０】
以下、本発明の実施の形態を添付図面に基づいて説明する。
【００１１】
図１〜図９に、パチンコ遊技機に本発明を適用した一実施形態を示し、パチンコ機を構成する遊技機の外枠１は、図１の正面図に示すように、上部を円筒状の筒状部７で、下部を方形の箱状部８で構成され、全体的には、ほぼ丸型に構成される。
【００１２】
図１〜図４に示すように、外枠１には内枠２が収装される。内枠２は、外枠１の筒状部７に収装される枠本体１４と、この内枠２が遊技者と対向する前方側で、開閉自在な板状部材で形成されたパネル部３とから構成される。
【００１３】
このパネル部３は、図１に示す正面から見て左端で、図４に示すように、上下方向へ所定の間隔に配設されたヒンジ２１、２１を介して枠本体１４に取付られて、水平方向へ開閉自在に支持される。
【００１４】
そして、パネル部３は、上部を筒状部７の開口内周に嵌合される円盤部１７と、この円盤部１７の下部から前方に突出形成されて外枠１の箱状部８の開口に嵌合される操作台部２０とから構成される。
【００１５】
円盤部１７の前方側には、図３に示すように、中央に形成された盤装着部へ遊技盤５が装着される。遊技盤５には、ほぼ中央部に画像表示装置２２が配設され、この下方に変動入賞装置等が配設され、打球発射装置（図示せず）から遊技領域へ向けて発射された遊技球は、遊技領域内に配設された画像表示装置２２の背面から変動入賞装置２３などへ向かう。
【００１６】
円盤部１７の表面には、遊技盤５の前面を覆い、保護するカバーガラス枠２７が配設され、カバーガラス枠２７は上部を円盤部１７へヒンジ結合して、図中上下方向へ開閉自在に支持される。
【００１７】
一方、円盤部１７の裏面の周囲には、図４に示すように、遊技球の誘導樋２４、遊技制御装置２５や打球発射装置などが配設され、遊技盤５の裏面には画像制御装置２６が配設される。
【００１８】
また、円盤部１７の下方から前方へ突出した操作台部２０は、操作面が前方へ向けて下がる傾斜面として形成され、この操作面に打球発射、遊技などの操作を行う遊技操作部６と、自動玉貸し機等の操作部３１が配設される。
【００１９】
ここで、遊技機の本体側となる枠本体１４に対して水平方向へ開閉自在な内枠２のパネル部３と、パネル部３の円盤部１７に対して上下方向へ開閉自在なカバーガラス部２７の開閉動作は、内枠２の枠本体１４に配設された錠４によって規制される。
【００２０】
錠４は、図３、図４に示すように、遊技者と対向する内枠２の前方に面した枠本体１４に固設され、すなわち、パネル部３の円盤部１７と対向する枠本体１４の図中右下周縁部近傍に固設される。
【００２１】
そして、錠４は、図示しない鍵の操作に応じて、パネル部３及びカバーガラス部２７を選択的に閉鎖位置で係止するもので、錠４へ図示しないキーを差し込むとともに、所定の施錠位置へ回せば、パネル部３及びカバーガラス部２７は閉鎖位置で係止される一方、キーを所定の開放位置へ回せば、パネル部３及びカバーガラス部２７は施錠を解除されて開閉動作が許容される。
【００２２】
錠４に対向するパネル部３の円盤部１７には、鍵の挿入領域に対応した鍵穴９が貫通形成され、円盤部１７の裏面には図４〜図９に示すように、鍵穴９を選択的に遮蔽する蓋１０が配設される。
【００２３】
鍵穴９と蓋１０は相似形で形成され、例えば外径の異なる円形で構成されて、蓋１０は鍵穴９に嵌合可能な所定の外径に形成される。
【００２４】
蓋１０は基端を揺動軸１１に軸支されて揺動可能な腕部材としてのアーム１２の他端に結合しており、図５に示すように蓋１０が鍵穴９に嵌合する遮蔽位置と、図７に示すように鍵穴９を開口する開口位置との間で蓋１０は揺動自在に支持される。
【００２５】
図６に示すように、アーム１２の基端に貫通した孔部１２Ｂへパネル部３の裏面に突設された揺動軸１１が挿通され、アーム１２はパネル部３の裏面に沿って揺動可能となり、さらに、揺動軸１１と孔部１２Ｂとの間に形成された間隙によって、アーム１２は図中上下方向にも所定の範囲で揺動してパネル部３の裏面と接離可能となる。
【００２６】
アーム１２とパネル部３の裏面の所定の位置の間には、蓋１０を遮蔽位置へ向けて付勢する付勢手段としてのスプリング１３が介装される一方、パネル部３の裏面には遮蔽位置と開口位置との間で揺動する蓋１０の変位領域を取り囲むように所定の深さの凹部３０が形成され、蓋１０は常時遮蔽位置へ向けて付勢されるとともに、遮蔽位置または開口位置を越えての変位を凹部３０で規制される。
【００２７】
スプリング１３は、パネル部３の裏面とアーム１２の裏面との間に介装されており、アーム１２の肉厚に応じて傾斜して配設され、アーム１２を図５の下方へ向けて付勢するのに加えて、アーム１２をパネル部３へ向けて付勢する。
【００２８】
また、蓋１０の開口位置でアーム１２と対向するパネル部３には、アーム１２へ向けて係止部材３２が突設される一方、パネル部３と対向するアーム１２には、係止部材３２と係合可能な凹部１２Ａが係合手段として形成され、開口位置では凹部１２Ａに係止部材３２が嵌合してアーム１２の変位を規制して蓋１０の開口位置を保持する。
【００２９】
なお、蓋１０の前方側の面には指先での操作性を向上させるために、中心へ向けて窪んだ曲面１０Ａが形成される。
【００３０】
以上のように構成されて、次に作用について説明する。
【００３１】
遊技機の遊技状態では、蓋１０は図５、図６に示したように、パネル部３の鍵穴９に嵌合して、内枠２の枠本体１４側に配設された錠４を遮蔽する。
【００３２】
この遮蔽位置では、スプリング１３がアーム１２を揺動方向に沿う図５の下方へ付勢するのに加えて、アーム１２をパネル部３へ向けて付勢され、蓋１０の外周は鍵穴９の内周に押圧されるとともに、遊技機の前方側へ向けて付勢されるが、アーム１２がパネル部３の裏面に当接して蓋１０の前方への変位を規制するため、蓋１０は遮蔽位置から容易に脱落することなく、鍵穴９の遮蔽状態を保持することができる。
【００３３】
一方、保守、調整などで錠４に図示しない鍵を差し込む場合には、鍵穴９を開口するため、図６に示すように、遊技機の前方側に面した蓋１０の曲面１０Ａをパネル部３の裏面へ向けて押し込み、曲面１０Ａの周縁が凹部３０に乗り上げるようにアーム１２を図中上下方向へ変位させる。
【００３４】
次に、曲面１０Ａの周縁を凹部３０に摺接させながら、アーム１２の揺動方向に沿って、図５に示す上方へ蓋１０を移動する。
【００３５】
揺動軸１１を軸に図５の上方へ向けて揺動するアーム１２は、蓋１０の開口位置まで変位すると、図７〜図９に示すように、パネル部３の裏面に突設された係止部材３２を乗り越えようとするが、アーム１２に形成された凹部１２Ａが係止部材３２と係合する。
【００３６】
この位置で、指先を蓋１０から離せば、係止部材３２に係合した凹部１２Ａがスプリング１３の付勢力に抗して蓋１０の変位を規制し、鍵穴９の開口位置を保持することができる。
【００３７】
鍵穴９の開口位置は、蓋１０の一部が鍵穴９に差しかかるように設定され、残りの開口部分を介して錠４に鍵を差し込み、所定の開放位置へ回せばパネル部３またはカバーガラス部２７を開放することができる。
【００３８】
一方、錠４の施錠が済んで蓋１０を開口位置から遮蔽位置へ戻すには、図７〜図９のように、鍵穴９に露出した蓋１０の周縁を裏面側へ向けて押し込んで、アーム１２を図８の上方へ変位させることで凹部１２Ａを係止部材３２から外す。
【００３９】
係止部材３２から開放されたアーム１２は、スプリング１３によって鍵穴９へ向けた揺動方向と、パネル部３へ向けた前方側へそれぞれ付勢されるため、蓋１０から指先を離すと、蓋１０は前方側の周縁でパネル部３の凹部３０と摺接しながら図８の下方へ向けて揺動し、鍵穴９と対向する遮蔽位置へ到達すると、蓋１０はスプリング１３の前方側への分力によって鍵穴９へ嵌合させられて、鍵穴９を自動的に遮蔽することができる。
【００４０】
この開口位置から遮蔽位置への蓋１０の変位に際して、鍵穴９へ向けて揺動する蓋１０は、遮蔽位置を越えての変位を凹部３０で規制され、さらに、スプリング１３がアーム１２を介して蓋１０を鍵穴９の嵌合方向へ付勢するため、特別な位置決め動作を必要とせずに蓋１０を鍵穴９へ自動的に嵌合させることができ、蓋１０の開閉動作を容易にしている。
【００４１】
このように、錠４に対向するパネル部３に貫通形成した鍵穴９を選択的に遮蔽する蓋１０を、鍵穴９へ嵌合可能に形成するとともに、スプリング１３によって常時遮蔽位置へ向けて付勢し、遮蔽位置では蓋１０を鍵穴９に嵌合させることにより、遊技者と対向するパネル部３の前面をほぼ平滑にして内枠２のデザインを損なうことがなく、鍵穴９を任意の位置に配設しながらデザインの自由度を向上させることができ、遊技機の美観を前記従来例に比してさらに向上させることが可能となるのである。さらに、通常の遊技状態では蓋１０を遮蔽位置とすることで、遊技者から直接錠４が見えないように遮蔽することによって、不正操作を抑制することができるのである。
【００４２】
一方、蓋１０の開口位置では、パネル部３の裏面に突設した係止部材３２をアーム１２に形成した凹部１２Ａに係止させることで、蓋１０を手で支持する必要がなくなって鍵の操作を容易に行うことができ、蓋１０の前方側を曲面１０Ａとすることで、蓋１０の操作を確実に行うことができ、操作性をさらに向上させることができるのである。
【００４３】
なお、上記実施形態では、操作性を向上させるために、蓋１０の前方側に曲面１０Ａを形成したが、パネル部３を曲面などで構成した場合には、曲面１０Ａに代わってパネル部３に沿った面として形成することにより、内枠２の装飾性を向上させることが可能となる。
【００４４】
また、上記実施形態では、パネル部３から係止部材３２を突設してアーム１２に形成した凹部１２Ａを係止したが、図示はしないが、凹部１２Ａに代わって係止部材３２と係合する凸部としてもよく、また、アーム１２からパネル部３へ向けて係止部材を突設する一方、パネル部３にこの係止部材と係合する部材を形成しても同様の効果を得ることができる。
【００４５】
また、アーム１２はパネル部３の裏面と接離する方向にも揺動可能に支持されたが、アーム１２の基端を支持する揺動軸１１の軸方向へ変位可能として、アーム１２をパネル部３の裏面と接離するようにしてもよい。
【００４６】
以上説明したように第１の発明は、パネル部材の裏面に突設された揺動軸に基端が軸支されて揺動可能な腕部材の他端に結合され、前記鍵穴に嵌合する遮蔽位置と前記鍵穴を開口する開口位置との間で前記パネル部材に沿うように揺動自在に支持される蓋を備えたため、開口位置では鍵の挿入を円滑に行う一方、遮蔽位置では蓋を鍵穴へ嵌合させることで、鍵穴を封止してパネル部材の前方側の面をほぼ平滑に形成することができ、任意の位置へ錠を配設しながらも遊技機の美観を損なうことがなくなって、遊技機のデザインの自由度を向上させることが可能となり、さらに、鍵穴へ蓋を嵌合させた遮蔽位置では、遊技者から錠を直接視認することはできないため、錠の不正操作等を抑制することができ、遊技機の防犯を推進することができる。
【００４７】
また、第１の発明は、蓋の遮蔽位置から開口位置への操作は、蓋を開口位置へ向けて揺動させてアーム部を前記揺動軸の軸方向へ変位させるとともに、腕部材の係合手段をパネル部材裏面の係止部材へ係合させるだけでよく、蓋は付勢手段に抗して鍵穴の開口位置を保持することができ、錠の操作を円滑に行うことができる一方、開口位置から閉鎖位置へは、係合手段を係止部材から外すだけで、その後は付勢手段の付勢力によって蓋は遮蔽位置へ向けて揺動し、蓋の操作性を向上させることができる。
【００４８】
今回開示した実施の形態は、全ての点で例示であって制限的なものではない。本発明の範囲は上記した発明の説明ではなくて特許請求の範囲によって示され、特許請求の範囲と均等の意味及び内容の範囲での全ての変更が含まれることが意図される。
【００４９】
なお、前述した以外の本発明の観点の代表的なものとして、次のものがあげられる。
【００５０】
（１）遊技盤を収装するとともに、遊技機本体に対して開閉自在に支持されたパネル部材と、前記遊技機本体の所定の位置に固設された錠と、前記錠と対向するパネル部材に鍵の挿入領域に応じて貫通形成された鍵穴と、前記パネル部材の裏面に沿うように揺動自由に支持されるとともに、前記鍵穴と選択的に嵌合可能な蓋とを備えたことを特徴とする遊技機の鍵穴構造。
【００５１】
（１）の発明では、鍵穴を選択的に遮蔽する蓋を鍵穴へ嵌合可能、かつパネル部材裏面に沿って揺動自在に支持したため、開口位置では鍵の挿入を円滑に行う一方、遮蔽位置では蓋を鍵穴へ嵌合させることで、鍵穴を封止してパネル部材の前方側の面をほぼ平滑に形成することができ、任意の位置へ錠を配設しながらも遊技機の美観を損なうことがなくなって、遊技機のデザインの自由度を向上させることが可能となり、さらに、鍵穴へ蓋を嵌合させた遮蔽位置では、遊技者から錠を直接視認することはできないため、錠の不正操作等を抑制することができ、遊技機の防犯を推進することができる。
【００５２】
（２）前記蓋は、パネル部材裏面に固設された揺動軸に連結する腕部材を有し、前記鍵穴の開口位置で腕部材と対向するパネル部材に形成された係止部材と、前記腕部材に形成されて前記係止部材と選択的に係合可能な係合手段と、前記腕部材とパネル部材との間に介装されて蓋を鍵穴へ向かうように付勢する付勢手段とを備えたことを特徴とする（１）に記載の遊技機の鍵穴構造。
【００５３】
（２）の発明では、蓋の遮蔽位置から開口位置への操作は、蓋を開口位置へ向けて揺動させるとともに、腕部材の係合手段をパネル部材裏面の係止部材へ係合させるだけでよく、蓋は付勢手段に抗して鍵穴の開口位置を保持することができ、錠の操作を円滑に行うことができる一方、開口位置から閉鎖位置へは、係合手段を係止部材から外すだけで、その後は付勢手段の付勢力によって蓋は遮蔽位置へ向けて揺動し、蓋の操作性を向上させることができる。
【００５４】
（３）前記蓋が鍵穴へ嵌合する遮蔽位置で、前記腕部材はパネル部材と当接可能に支持されたことを特徴とする（２）に記載の遊技機の鍵穴構造。
【００５５】
（３）の発明では、腕部材は遮蔽位置で、パネル部材裏面に当接することで、蓋の嵌合方向への変位を規制する一方、遮蔽位置から開口位置へ移動する際には腕部材がパネル部材の裏面から離れる方向へ揺動するとともに、パネル部材裏面に沿って揺動し、蓋はパネル部材の裏面と摺接しながら開口位置へ変位して、蓋はパネル部材に対して立体的に変位しながら遮蔽位置と開口位置との間を選択的に変位することができ、蓋の開閉を確実に行うことができる。
【００５６】
（４）前記付勢手段は、前記腕部材を介して鍵穴へ向かってパネル部材裏面に沿うように蓋を付勢するとともに、前記鍵穴の嵌合方向へ蓋を付勢することを特徴とする（３）に記載の遊技機の鍵穴構造。
【００５７】
（４）の発明では、付勢手段は、鍵穴へ向かうパネル部材裏面に沿って蓋を付勢するのに加えて、鍵穴の嵌合方向にも蓋を付勢したため、開口位置から遮蔽位置への変位は、腕部材の係合手段をパネル部材の係止部材から外すだけよく、パネル部材に沿って揺動した蓋は、自動的に鍵穴へ嵌合することができ、鍵穴の開閉動作を容易かつ迅速に行うことができる。
【００５８】
（５）前記蓋が遊技機の前方側に対向する面は、所定の凹部で形成されたことを特徴とする（１）ないし（４）のいずれかひとつに記載の遊技機の鍵穴構造。
【００５９】
（５）の発明では、蓋が遊技機の前方側に対向する面は、所定の凹部で形成され、指先で確実に蓋を操作することが可能となる。
【図面の簡単な説明】
【００６０】
【図１】本発明の一実施形態を示す遊技機の正面図で、鍵穴の遮蔽状態を示す。
【図２】同じく側面図。
【図３】同じく鍵穴の開口状態を示し、カバーガラス枠を開放した状態の正面図。
【図４】同じくパネル部を開放した遊技機の斜視図。
【図５】パネル部の裏面からの鍵穴を示し、鍵穴の閉鎖状態を示す正面図。
【図６】図５のＡ−Ａ矢視断面図。
【図７】パネル部の裏面からの鍵穴を示し、鍵穴の開放状態を示す正面図。
【図８】図７のＢ−Ｂ矢視断面図。
【図９】図８のＣ−Ｃ矢視断面図。
【図１】
2007075653.tif 000003
【図２】
2007075653.tif 000004
【図３】
2007075653.tif 000005
【図４】
2007075653.tif 000006
【図５】
2007075653.tif 000007
【図６】
2007075653.tif 000008
【図７】
2007075653.tif 000009
【図８】
2007075653.tif 000010
【図９】
2007075653.tif 000011